(57)【要約】      （修正有）【課題】簡単な構造により、脚やキャスタを備えた物品を載置する段ボール製パレットを提供する。【解決手段】段ボール製パレット１は、デッキプレート１０と、紙管２１〜２４と、紙管上端連結用帯板３０，３０と、補強用帯板４０，５０とから構成されている。デッキプレート１０は正方形の板状体で、四隅近傍に貫通孔が形成されている。貫通孔の内径は、紙管２１〜２４の外径とほぼ同一である。帯板３０，４０，５０にも貫通孔が各２個ずつ形成されている。紙管２１〜２４は、フォークリフトのフォーク挿入用の下方空間高さの約２倍の長さを有し、中間部と上端部で接着剤により接着される。紙管の上端は連結用帯板の上面と面一とされ、脚やキャスタを紙管内に挿入する様に載置することで、脚を備えた機器の荷重を紙管２１〜２４の全体で受け止めることができ、梱包後のフォークリフトによるハンドリングにも支障がない。【選択図】図２
0003145262.tif 000002
【実用新案登録請求の範囲】
【請求項１】
段ボール製のデッキプレートの下方にフォークリフトのフォークを挿入することのできる下方空間を形成する様に紙管製の脚を備え、以下の構成をも備えていることを特徴とする段ボール製パレット。
（１）前記段ボール製のデッキプレートには、前記紙管を上下方向に挿通することのできる貫通孔が形成されていること。
（２）前記紙管は、前記デッキプレートの貫通孔の内径とほぼ同一の外径を有し、フォーク挿入用の前記下方空間を確保し、かつ、当該デッキプレートの上面からさらに所定高さまで上方に突出する長さを有していること。
（３）前記紙管の中間部の外面と前記デッキプレートの貫通孔の内面とが、接着剤で接着されていること。
（４）前記紙管の外径とほぼ同一の内径を有する貫通孔を備えた段ボール製の帯板で、少なくとも２つの紙管同士の上端を連結していること。
（５）前記段ボール製の帯板には、前記紙管を上下方向に挿通することのできる貫通孔が形成されていること。
（６）前記紙管の上端部の外面と前記段ボール製の帯板の貫通孔の内面とが、接着剤で接着されていること。
【請求項２】
さらに、以下の構成をも備えていることを特徴とする請求項１記載の段ボール製パレット。
（７）前記デッキプレートは四角形の板状に構成され、前記紙管は前記デッキプレートの四隅近傍に位置する様に取り付けられ、前記帯板は前記デッキプレートの対向する２辺に沿って、その上面が紙管の上端と面一になる様に取り付けられていること。
【請求項３】
さらに、以下の構成をも備えていることを特徴とする請求項１又は２記載の段ボール製パレット。
（８）前記デッキプレートの上面には、前記貫通孔と同一径の貫通孔が形成された段ボール製の補強板が接着されており、前記紙管は、前記デッキプレート及び補強板の各貫通孔の内面に対して接着剤で接着されていること。
【考案の詳細な説明】
【技術分野】
【０００１】
本考案は、段ボール製のパレットに係り、特に、脚やキャスタを備えた製品を載置するのに適する段ボール製パレットに関する。
【背景技術】
【０００２】
従来より、段ボール製パレットにおいて、フォークリフトのフォークを挿入する脚の部分に紙管を取り付けた構造のものが知られている（例えば、特許文献１〜６）。
【０００３】
これら従来技術は、段ボール製のデッキプレートに対する紙管の固定方法として、紙管端面を直に接着する方法（特許文献１；図９（Ａ）参照）、座金とボルトナットで挟み付ける様にして固定する方法（特許文献２；図９（Ｂ）参照）、デッキプレート側に円盤状の突起片を取り付けて位置決する方法（特許文献３；図９（Ｃ）参照）、紙管の上下に接着した正方形のシートを介して固定する方法（特許文献４；図９（Ｄ）参照）、多層構造のデッキプレートの内側の板にだけ貫通孔を形成して紙管の位置決めをする方法（特許文献５；図９（Ｅ）参照）、紙管上下に備えさせた小径部を上下の段ボール板の貫通孔に挿入し、紙管の段差面を上下の段ボール板の内面に接着し、上面には貫通孔のない天板を接着し、紙管の下端には木製の脚を接着する方法（特許文献６；図９（Ｆ）参照）をそれぞれ提案している。
【特許文献１】実開昭４９−４２６５７号公報
【特許文献２】実開昭６１−５７２３号公報
【特許文献３】特開昭６１−１９０４４２号公報
【特許文献４】実開平５−６２４３１号公報
【特許文献５】実用新案登録第３１０７３８１号公報
【特許文献６】特許第３３５６２７４号号公報
【考案の開示】
【考案が解決しようとする課題】
【０００４】
これら従来技術による段ボール製パレットは、底の平らな物品を載置するのには適しているが、例えば、脚やキャスタを備えた物品を載置するには適していない。それは、脚付きの物品ではデッキプレートが集中荷重を受けることになるからである。
【０００５】
そこで、本考案は、簡単な構造により、脚やキャスタを備えた物品を載置するのに適した段ボール製パレットを提供することを目的とする。
【課題を解決するための手段】
【０００６】
上記目的を達成するためになされた本考案の段ボール製パレットは、段ボール製のデッキプレートの下方にフォークリフトのフォークを挿入することのできる下方空間を形成する様に紙管製の脚を備え、以下の構成をも備えていることを特徴とする。
（１）前記段ボール製のデッキプレートには、前記紙管を上下方向に挿通することのできる貫通孔が形成されていること。
（２）前記紙管は、前記デッキプレートの貫通孔の内径とほぼ同一の外径を有し、フォーク挿入用の前記下方空間を確保し、かつ、当該デッキプレートの上面からさらに所定高さまで上方に突出する長さを有していること。
（３）前記紙管の中間部の外面と前記デッキプレートの貫通孔の内面とが、接着剤で接着されていること。
（４）前記紙管の外径とほぼ同一の内径を有する貫通孔を備えた段ボール製の帯板で、少なくとも２つの紙管同士の上端を連結していること。
（５）前記段ボール製の帯板には、前記紙管を上下方向に挿通することのできる貫通孔が形成されていること。
（６）前記紙管の上端部の外面と前記段ボール製の帯板の貫通孔の内面とが、接着剤で接着されていること。
【０００７】
本考案の段ボール製パレットによれば、デッキプレートを貫通して上方所定高さまで伸びる紙管を備え、紙管の上端は塞がれていない。この結果、紙管に物品の脚やキャスタを挿入する様に載置することができる。こうして載置された脚付きの物品の底面は紙管の上端を連結する様に取り付けられた帯板に当接する。一方、物品の脚は、紙管の筒孔の中で宙に浮いた状態となる。従って、脚等の下端での集中荷重としてではなく、紙管全体で荷重を受け止めることができる。
【０００８】
こうしてパレットに物品を載置したら、物品を覆う様にシートをかけたり、あるいは、側面壁と蓋を取り付けて覆い隠し、デッキプレートの下面を通る様に結束バンドを掛け渡してしっかりと固定することができる。こうして物品を梱包した状態にあっても、デッキプレートの下方にはフォーク挿入用の下方空間が確保されているので、フォークリフトによる搬出・搬入に支障を来すことはない。
【０００９】
また、紙管は、中間部と上端部を接着固定されており、載置した物品の荷重を垂直に受け止めることができるので、しっかりと物品を支えることができる。そして、本考案のパレットは、デッキプレート及び帯板に貫通孔を形成し、接着剤で固定するという簡単な作業で製造することができる。なお、デッキプレートや帯板は、荷重条件その他の必要に応じて段ボール板を積層したものを用いることができる。
【００１０】
ここで、本考案の段ボール製パレットは、（１）〜（６）の構成に加えて、さらに、以下の構成をも備えるものとするととよい。
（７）前記デッキプレートは四角形の板状に構成され、前記紙管は前記デッキプレートの四隅近傍に位置する様に取り付けられ、前記帯板は前記デッキプレートの対向する２辺に沿って、その上面が紙管の上端と面一になる様に取り付けられていること。
【００１１】
（７）の構成をも備えた段ボール製パレットでは、載置される脚付きの物品の脚の位置及び外形寸法に応じてデッキプレートの大きさや紙管の取り付け位置を設計し、物品の脚を宙に浮いた状態で支持できる様に紙管の長さを設計することにより、最適な状態で脚付きの物品を載置することができる。なお、帯板の上面に補強板を取り付ける場合は、当該補強板の上面と紙管の上面を面一とする。
【００１２】
また、本考案の段ボール製パレットは、（１）〜（６）の構成に加えて、あるいは（１）〜（７）の構成に加えて、さらに、以下の構成をも備えるものとするととよい。
（８）前記デッキプレートの上面には、前記貫通孔と同一径の貫通孔が形成された段ボール製の補強板が接着されており、前記紙管は、前記デッキプレート及び補強板の各貫通孔の内面に対して接着剤で接着されていること。
【００１３】
（８）の構成をも備えた段ボール製パレットは、段ボール製の補強板によって紙管との接着面積を十分に確保すると共に、荷重を受ける部分の曲げ強度を確保することができる。
【考案の効果】
【００１４】
本考案によれば、簡単な構造により、脚やキャスタを備えた物品を載置したときに、脚やキャスタの下端を宙に浮かせた状態で物品の荷重を紙管全体で受け止めることができ、しかも、フォークリフトによるハンドリングに対する支障も来すことがないという効果を奏する。
【考案を実施するための最良の形態】
【００１５】
次に、本考案の実施の形態について図面に基づいて説明する。実施形態の段ボール製パレット１は、図１〜図８に示す様に、段ボール製のデッキプレート１０と、紙管２１〜２４と、段ボール製の紙管上端連結用帯板３０，３０と、同じく段ボール製の補強用帯板４０，４０，５０，５０とから構成されている。
【００１６】
デッキプレート１０は正方形の板状体で構成され、四隅近傍に位置する様に紙管挿通用の貫通孔１１〜１４が形成されている。この貫通孔１１〜１４の内径は、紙管２１〜２４の外径とほぼ同一となっている。紙管上端連結用帯板３０、補強用帯板４０，５０にも、デッキプレート１０の貫通孔１１〜１４と同一径の貫通孔３１，４１，５１が各２個ずつ形成されている。なお、紙管上端連結用帯板３０及び補強用帯板４０，５０は、同一形状としてある。
【００１７】
紙管２１〜２４は、デッキプレート１０等の貫通孔１１等の内径とほぼ同一の外径を有し、フォーク挿入用の下方空間高さＨＬの約２倍の長さを有している。そして、それぞれの紙管２１〜２４の中間部の外面が、デッキプレート１０及び補強用帯板４０の貫通孔の内面に対して接着剤で接着されている。また、左側の紙管２１，２２の上端同士及び右側の紙管２３，２４の上端外面が、紙管上端連結用帯板３０及び補強用帯板５０の貫通孔内面に対して接着剤で接着されている。なお、この紙管２１〜２４の上端は、補強用帯板５０の上面と面一とされている。
【００１８】
この段ボール製パレット１によれば、デッキプレート１０を貫通して上方所定高さまで伸びる紙管２１〜２４を備え、紙管２１〜２４の上端は塞がれていないので、図８に示す様に、紙管２１〜２４に機器６０の４本の脚６１を挿入する様に載置することができる。こうして載置された脚付きの機器６０の底面６２は紙管２１〜２４の上端を連結する様に取り付けられた帯板３０（補強板５０を含む）の上面に当接する。一方、機器６０の脚６１は、紙管２１〜２４の筒孔の中で宙に浮いた状態となる。従って、脚６１の下端での集中荷重としてではなく、紙管２１〜２４の全体で機器６０の荷重を受け止めることができる。
【００１９】
こうしてパレット１に機器６０を載置したら、当該機器６０を覆う様にシートをかけたり、あるいは、側面壁と蓋を取り付けて覆い隠し、デッキプレート１０の下面を通る様に結束バンドを掛け渡してしっかりと固定することができる。こうして機器６０を梱包した状態にあっても、デッキプレート１０の下方にはフォーク挿入用の下方空間が確保されているので、フォークリフトによる搬出・搬入に支障を来すことはない。
【００２０】
また、紙管２１〜２４は、中間部と上端部を接着固定されており、載置した機器６０の荷重を垂直に受け止めることができるので、しっかりと機器６０を支えることができる。そして、パレット１は、デッキプレート１０、帯板３０及び補強板４０，５０に貫通孔を形成し、接着剤で固定するという簡単な作業で製造することができる。
【００２１】
なお、デッキプレート１０の大きさや紙管２１〜２４の取り付け一及び長さは、載置される脚付きの機器６０の脚６１の位置及び外形寸法に応じて設計すればよい。
【００２２】
この実施形態において、接着には植物由来の接着剤（例えば、フノリなど）を用いることにより、使用されなくなったパレット１をそのまま焼却処分できる様にしておくとなおよい。
【００２３】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００２４】
【図１】実施形態の段ボール製パレットの部品図である。
【図２】実施形態の段ボール製パレットの斜視図で、（Ａ）は線図、（Ｂ）はイメージ図である。
【図３】実施形態の段ボール製パレットの裏返した状態の斜視図で、（Ａ）は線図、（Ｂ）はイメージ図である。
【図４】実施形態の段ボール製パレットの正面図で、（Ａ）は線図、（Ｂ）はイメージ図である。
【図５】実施形態の段ボール製パレットの右側面図で、（Ａ）は線図、（Ｂ）はイメージ図である。
【図６】実施形態の段ボール製パレットの平面図で、（Ａ）は線図、（Ｂ）はイメージ図である。
【図７】実施形態の段ボール製パレットの底面図で、（Ａ）は線図、（Ｂ）はイメージ図である。
【図８】実施形態の段ボール製パレットに脚付きの機器を載置した状態の正面図である。
【図９】従来技術の説明図である。
【符号の説明】
【００２５】
１・・・段ボール製パレット
１０・・・デッキプレート
１１〜１４・・・貫通孔
２１〜２４・・・紙管
３０・・・紙管上端連結用帯板
３１・・・貫通孔
４０・・・補強用帯板
４１・・・貫通孔
５０・・・補強用帯板
５１・・・貫通孔
６０・・・脚付きの機器
６１・・・機器の脚
６２・・・機器の底面
ＨＬ・・・フォーク挿入用の下方空間高さ
【図１】
0003145262.tif 000003
【図２】
0003145262.tif 000004
【図３】
0003145262.tif 000005
【図４】
0003145262.tif 000006
【図５】
0003145262.tif 000007
【図６】
0003145262.tif 000008
【図７】
0003145262.tif 000009
【図８】
0003145262.tif 000010
【図９】
0003145262.tif 000011